(57)【要約】【課題】  コンピュータのユーザがコンピュータを不在にする予想不在時間を算出し、この予想不在時間の間に所定の処理をコンピュータに実行させる。【解決手段】  コンピュータ管理システム１００は、ＲＦＩＤリーダ６、ＰＣ制御装置７０、社員所在管理装置４、施設予約管理装置５等を備える。ＰＣ制御装置７０は、ＲＦＩＤリーダ６を用いて、ユーザ乙の社員カードのＲＦＩＤ１１に記憶されている社員番号を読み取らせる。ＰＣ制御装置７０は、社員番号を読み取れない場合を、ＯＡ用ＰＣ７にユーザ乙が不在と判断し、不在と判断した場合に、社員所在リスト４１を記憶する社員所在管理装置４と施設予約リスト５１を記憶する施設予約管理装置５とを検索する。ＰＣ制御装置７０は、これらの検索結果から、ユーザ乙がＯＡ用ＰＣ７に不在となる予想不在時間を算出し、予想不在時間の間に所定の処理をＯＡ用ＰＣにコンピュータに実行させる。【選択図】        図２
2005293443.tif 000002
【特許請求の範囲】
【請求項１】
複数の施設を有する組織に所属する組織所属者が使用するコンピュータの管理システムであって、
組織所属者がいずれかの施設に所在しているかどうかを示す所在情報を記憶する所在情報記憶装置と、
組織所属者が滞在を予定する施設について、組織所属者が滞在を予定する滞在予定時間を含む組織所属者滞在予定情報を記憶する滞在予定情報記憶装置と、
組織所属者の使用するコンピュータの近傍に配置されることにより組織所属者が携帯する無線タグと交信して無線タグに記憶された個人ＩＤを読み取る読取装置と、
前記読取装置を組織所属者の携帯する無線タグと交信させて無線タグから個人ＩＤを読み取らせ、前記読取装置が個人ＩＤを読み取れない場合を組織所属者がコンピュータの近傍に不在と判断し、不在と判断した場合に、前記所在情報記憶装置の記憶する所在情報と前記滞在予定情報記憶装置の記憶する組織所属者滞在予定情報とを用いて、コンピュータの使用者である組織所属者がコンピュータの近傍に不在になると予想される予想不在時間を算出する予想不在時間算出部と、
前記予想不在時間算出部の算出した予想不在時間に基づいて、コンピュータに所定の処理を実行させる処理実行部とを有するコンピュータ制御装置と
を備えたことを特徴とするコンピュータの管理システム。
【請求項２】
前記コンピュータの管理システムは、さらに、
複数の施設のそれぞれに配置されることにより、組織所属者が施設への滞在を開始する場合に組織所属者の携帯する無線タグに記憶された個人ＩＤを読み取る、複数の施設配置リーダと、
複数の施設配置リーダのそれぞれに対応して設けられ、施設配置リーダの読み取った個人ＩＤを入力し、入力した個人ＩＤに個人ＩＤの入力時刻と個人ＩＤを読み取った施設配置リーダが配置されている施設を示す施設情報とを付加して付加情報として出力する複数の付加情報出力装置とを備え、
前記所在情報記憶装置は、
それぞれの前記付加情報出力装置から付加情報を入力し、入力した付加情報を前記所在情報として記憶することを特徴とする請求項１記載のコンピュータの管理システム。
【請求項３】
前記所在情報記憶装置は、
施設に滞在している組織所属者について、施設ごとに、個人ＩＤと施設への滞在を開始した時刻と施設に滞在している日付とを含む組織所属者所在リストを前記所在情報として記憶することを特徴とする請求項１記載のコンピュータの管理システム。
【請求項４】
前記滞在予定情報記憶装置は、
施設ごとに、施設の名称と、施設への滞在を予約した組織所属者の個人ＩＤと、滞在の予約による施設への滞在予定日と、滞在の予約による施設に滞在する滞在予定時間とを含む施設予約リストを前記組織所属者滞在予定情報として記憶することを特徴とする請求項１記載のコンピュータの管理システム。
【請求項５】
前記滞在予定情報記憶装置は、
組織所属者ごとに、組織所属者の個人ＩＤと、滞在を予約した施設の名称と、滞在を予約した施設への滞在予定日と、滞在を予約した施設に滞在する滞在予定時間とを含む組織所属者のスケジュールを示すスケジュールリストを前記組織所属者滞在予定情報として記憶することを特徴とする請求項１記載のコンピュータの管理システム。
【請求項６】
複数の施設を有する組織に所属する組織所属者が使用するコンピュータを制御するコンピュータ制御装置であって、
組織所属者の使用するコンピュータの近傍に配置されることにより組織所属者が携帯する無線タグと交信して無線タグに記憶された個人ＩＤを読み取る読取装置を、組織所属者の携帯する無線タグと交信させて無線タグから個人ＩＤを読み取らせ、読取装置が個人ＩＤを読み取れない場合を組織所属者がコンピュータの近傍に不在と判断し、不在と判断した場合に、組織所属者がいずれかの施設に所在するかどうかを示す所在情報を記憶する所在情報記憶装置にアクセスして所在情報を検索し、所在情報の検索結果により、組織所属者が施設に滞在を予定する滞在予定時間を含む組織所属者滞在予定情報を記憶する滞在予定情報記憶装置にアクセスして組織所属者滞在予定情報を検索し、組織所属者滞在予定情報の検索結果を用いて、コンピュータの使用者である組織所属者がコンピュータの近傍に不在になると予想される予想不在時間を算出する予想不在時間算出部と、
前記予想不在時間算出部の算出した予想不在時間に基づいてコンピュータに所定の処理を実行させる処理実行部とを
備えたことを特徴とするコンピュータ制御装置。
【請求項７】
前記コンピュータ制御装置は、さらに、
コンピュータの使用者である組織所属者がコンピュータの近傍に不在の場合にコンピュータに実行させるべき複数の処理を記憶する実行処理記憶部を備え、
前記処理実行部は、
前記実行処理記憶部の記憶する複数の処理からコンピュータに実行させる処理を選択して、選択した処理をコンピュータに実行させることを特徴とする請求項６記載のコンピュータ制御装置。
【請求項８】
前記コンピュータ制御装置は、さらに、
コンピュータの処理能力を示すハードウェアリソース情報を参照することにより、前記実行処理記憶部の記憶する複数の処理のそれぞれに対して、コンピュータによる処理に要する処理時間を算出する処理時間算出部を備え、
前記処理実行部は、
処理時間算出部が算出した処理時間に基づいて、前記実行処理記憶部の記憶する複数の処理からコンピュータに実行させる処理を選択することを特徴とする請求項７記載のコンピュータ制御装置。
【請求項９】
前記コンピュータ制御装置は、さらに、
前記処理時間算出部が算出した処理時間により、前記処理実行部がコンピュータに実行させる処理を選択することができない場合に、コンピュータの電源をオフにする電源制御部を備えたことを特徴とする請求項８記載のコンピュータ制御装置。
【請求項１０】
複数の施設を有する組織に所属する組織所属者が使用するコンピュータを、
前記コンピュータの近傍に配置されることにより組織所属者が携帯する無線タグと交信して無線タグに記憶された個人ＩＤを読み取る読取装置に、組織所属者の携帯する無線タグと交信させて無線タグから個人ＩＤを読み取らせ、読取装置が個人ＩＤを読み取れない場合を組織所属者が前記コンピュータの近傍に不在と判断し、不在と判断した場合に、組織所属者がいずれかの施設に所在しているかどうかを示す所在情報を記憶する所在情報記憶装置にアクセスして所在情報を検索し、所在情報の検索結果により、組織所属者が施設に滞在を予定する滞在予定時間を含む組織所属者滞在予定情報を記憶する滞在予定情報記憶装置にアクセスして組織所属者滞在予定情報を検索し、組織所属者滞在予定情報の検索結果を用いて、前記コンピュータの使用者である組織所属者が前記コンピュータの近傍に不在になると予想される予想不在時間を算出する算出手段、
算出した予想不在時間に基づいて所定の処理を実行する処理実行手段
として機能させるためのコンピュータ制御プログラム。
【発明の詳細な説明】
【技術分野】
【０００１】
本発明は、コンピュータの管理システムに関する。例えば、コンピュータのユーザがコンピュータから所定の時間席をはずし不在となる場合に、不在となる時間を予想し、予想した不在時間内にコンピュータに所定の処理を実行させるコンピュータの管理システムに関する。
【背景技術】
【０００２】
従来では、特開２００２−１５７０４０号公報にあるように、ユーザ識別情報を記憶したＲＦＩＤ（Ｒａｄｉｏ  Ｆｒｅｑｕｅｎｃｙ  ＩＤｅｎｔｉｆｉｃａｔｉｏｎ）をユーザが携帯し、各パーソナルコンピュータ（端末）の近傍にＲＦＩＤリーダを設置することで、各パーソナルコンピュータ（以下、ＰＣ（Ｐｅｒｓｏｎａｌ  Ｃｏｍｐｕｔｅｒ）ともいう）を利用するユーザの認証を行い、ＰＣの電源オンやユーザ環境のダウンロード、またはユーザがＰＣから離れた場合の電源オフといったＰＣ管理を実現する。
【０００３】
しかし、上述したような従来の方式では、ＲＦＩＤを用いてユーザ認証のみを行うため、各ＰＣにユーザが存在する／存在しないという判断しかできない。そのため、ＰＣにユーザが存在（在席）しない時間、すなわち、ユーザがＰＣに在席しないためＰＣを使用しない時間を利用した、効率的なＰＣ管理ができないという問題があった。
【特許文献１】特開２００２−１５７０４０号公報
【発明の開示】
【発明が解決しようとする課題】
【０００４】
本発明は、上記の問題点を解決するためになされたもので、“ユーザの所在情報”と、各施設の予約リストやユーザのスケジュールリストを用いた“所在場所におけるユーザの滞在時間情報”とを組み合わせることで、ユーザがＰＣを不在にする時間を算出し、この時間を利用した効率的なＰＣ管理を行うことを目的とする。
【課題を解決するための手段】
【０００５】
本発明のコンピュータの管理システムは、
複数の施設を有する組織に所属する組織所属者が使用するコンピュータの管理システムであって、
組織所属者がいずれかの施設に所在しているかどうかを示す所在情報を記憶する所在情報記憶装置と、
組織所属者が滞在を予定する施設について、組織所属者が滞在を予定する滞在予定時間を含む組織所属者滞在予定情報を記憶する滞在予定情報記憶装置と、
組織所属者の使用するコンピュータの近傍に配置されることにより組織所属者が携帯する無線タグと交信して無線タグに記憶された個人ＩＤを読み取る読取装置と、
前記読取装置を組織所属者の携帯する無線タグと交信させて無線タグから個人ＩＤを読み取らせ、前記読取装置が個人ＩＤを読み取れない場合を組織所属者がコンピュータの近傍に不在と判断し、不在と判断した場合に、前記所在情報記憶装置の記憶する所在情報と前記滞在予定情報記憶装置の記憶する組織所属者滞在予定情報とを用いて、コンピュータの使用者である組織所属者がコンピュータの近傍に不在になると予想される予想不在時間を算出する予想不在時間算出部と、
前記予想不在時間算出部の算出した予想不在時間に基づいて、コンピュータに所定の処理を実行させる処理実行部とを有するコンピュータ制御装置と
を備えたことを特徴とする。
【発明の効果】
【０００６】
本発明により、コンピュータのユーザがコンピュータから席を離れ不在となる時間を利用して、コンピュータに所定の処理を実行させることができる。これにより、コンピュータを効率的に管理することができる。
【発明を実施するための最良の形態】
【０００７】
実施の形態１．
実施の形態１について、図１〜７を参照して説明する。実施の形態１は、複数の施設を有する組織に所属する組織所属者が使用するコンピュータの管理システムに関する。ここで「組織」とは、複数の者により構成される統一体をいい、例えば、会社や官公庁、学校、病院等が該当するが、これらに限られない。「組織所属者」とは、組織が会社でれば「社員」が該当する。また、「施設」とは、組織所属者が自己の使用するコンピュータから席をはずして一定の時間滞在する場所を意味し、例えば、会議室、研究室、実験室などがある。実施の形態２、実施の形態３についても同様である。以下の実施の形態１〜実施の形態３では、「組織」として会社、「組織所属者」として会社の社員、「施設」として会社の会議室を例に取り説明する。管理の対象となるコンピュータとして、社員の使用するＯＡ（Ｏｆｆｉｃｅ  Ａｕｔｏｍａｔｉｏｎ）用のＰＣ（Ｐｅｒｓｏｎａｌ  Ｃｏｍｐｕｔｅｒ）であるＯＡ用ＰＣを想定する。ＯＡ用ＰＣを利用する社員をユーザともいう。また、ＯＡ用ＰＣ７を利用する社員をユーザ乙とする。
【０００８】
実施の形態１に係るコンピュータの管理システムでは、ユーザの携帯する無線タグを用いて、ユーザがＯＡ用ＰＣに在席しているか、不在かを確認する。以下、無線タグをＲＦＩＤという。ユーザは社員カードを携帯しており社員カードにはＲＦＩＤが内蔵されている。ＲＦＩＤは、社員番号（個人ＩＤの一例）を含む社員情報を記憶している。ＯＡ用ＰＣの近傍に配置されたＲＦＩＤリーダ（読取装置）によって社員番号を読み取れるかどうかにより、ユーザがＯＡ用ＰＣの近傍に不在かどうか、すなわち、ＯＡ用ＰＣの席に在席しているか、不在なのかを判断する。そして、不在の場合に、ユーザの所在を示す「ユーザの所在情報」と、その所在場所（施設）にどのくらいの時間滞在するかを示す滞在予定時間を含む「組織所属者滞在予定情報」とを組み合わせることで、ユーザがＯＡ用ＰＣから席を離れ不在となる時間を算出する。すなわち、「ユーザの所在情報」で「ユーザがどこにいるのか」を確認し、滞在予定時間を含む「組織所属者滞在予定情報」により、確認した所在場所にユーザがどのくらいの時間滞在するのかを確認する。これらにより、ユーザがＯＡ用ＰＣに不在となる予想不在時間を算出する。この予想不在時間に基づいて、ＯＡ用ＰＣの維持、管理に必要な処理を、ユーザの不在中に自動実行するシステムである。
【０００９】
図１は、実施の形態１に係るコンピュータ管理システム１００の構成の概要を示す図である。図１は、コンピュータ管理システム１００を構成する各構成要素の接続関係を示している。コンピュータ管理システム１００は、社員の携帯する社員カードから社員番号（個人ＩＤの一例）を含む社員情報を読み込む複数の施設配置リーダ２ａ，２ｂ，２ｎ等と、これらの施設配置リーダのそれぞれに対応して設けられた複数の入退場管理装置３ａ，３ｂ，３ｎ等（付加情報出力装置の一例）と、社員所在管理装置４（所在情報記憶装置の一例）と、施設予約管理装置５（滞在予定情報記憶装置の一例）と、ＲＦＩＤリーダ６（読取装置）と、ＯＡ用ＰＣ７を制御するＰＣ制御装置７０（コンピュータ制御装置）とを備える。なお、これら各構成要素の機能については、図２の説明で後述する。
【００１０】
各構成要素の接続関係を説明する。図１に示すように、複数の施設配置リーダ２ａ，２ｂ，２ｎのそれぞれには、１対１に対応して、入退場管理装置３ａ，３ｂ，３ｎが設置される。入退場管理装置３ａ，３ｂ，３ｎのそれぞれは、社員所在管理装置４に向けて後述の「付加情報」を出力する。ＰＣ制御装置７０は、社員所在管理装置４、施設予約管理装置５、ＲＦＩＤリーダ６及びＯＡ用ＰＣ７に接続している。ＰＣ制御装置７０は、社員所在管理装置４、施設予約管理装置５を検索する。
【００１１】
図２は、図１に示したコンピュータ管理システム１００を、社内ネットワークを用いて実現した場合を示す図である。図２では、説明のため、図１における社員カード１ａ、施設配置リーダ２ａ、入退場管理装置３ａの部分を抜き出している。また、図２では、施設配置リーダ２ａ、入退場管理装置３ａ、社員所在管理装置４、施設予約管理装置５、ＲＦＩＤリーダ６、ＰＣ制御装置７０等の各装置の内部構成を示している。次に各装置の内部構成を説明する。
【００１２】
社員カード１ａは、社員であるユーザが常に携帯する。社員カード１ａは、社員番号を含む社員情報を記憶したＲＦＩＤ１１を内蔵する。他の社員カード１ｂ、１ｎも同様である。
【００１３】
施設配置リーダ２ａは、会社（組織の一例）の会議室（施設の一例）の出入口に設置されている。図２では会議室Ａについての場合を示しているが、図１に示したように、施設配置リーダは、会議室Ａ、会議室Ｂ、会議室Ｎ等のそれぞれの会議室の出入り口に配置されている。各会議室に配置された施設配置リーダは、同じ構成である。施設配置リーダ２ａは、ＩＤ読取部２１と通信制御部２２とを備える。ＩＤ読取部２１は、出入口を通過した社員が携帯する社員カード１ａに内蔵されたＲＦＩＤ１１から、社員番号を含む社員情報を読み取る。通信制御部２２は、読み取った社員情報を入退場管理装置３ａに送信する。また、通信制御部２２は入退場管理装置３ａとの通信を制御する。
【００１４】
入退場管理装置３ａは、施設配置リーダ２ａに対応して設けられている。入退場管理装置３ａは、施設配置リーダ２ａが設置された会議室Ａについて、入退場する者の社員情報と、入退場時刻と、場所情報とを管理する。入退場管理装置３ａは、施設配置リーダ２ａから送られてくる入退場者の社員情報を記憶する社員情報記憶用バッファ３１と、施設配置リーダ２ａが設置されている場所（会議室Ａ）を表す場所情報を記憶する場所情報記憶部３２と、施設配置リーダ２ａから送信された社員情報の入力時刻を測る時計３３と、時計３３の計測した時刻を記憶する時刻記憶用バッファ３４と、社内ネットワーク間の通信を制御する通信制御部３５とを備える。他の入退場管理装置３ｂ、３ｎ等も同様の構成である。図１で説明したように入退場管理装置は施設配置リーダと１対１で設置されるが、図２に示すように、入退場管理装置３ａは施設配置リーダ２ａと別々の装置としてもよいし、あるいは、入退場管理装置３ａを施設配置リーダ２ａに組み込んでも構わない。
【００１５】
社員所在管理装置４は、社員の所在を管理する。社員所在管理装置４は、社員所在リスト４１（組織所属者所在リストの一例）と通信制御部４２とを備える。社員所在リスト４１は、会議室ごとに設置された入退場管理装置３ａ，３ｂ，３ｎ等から送られてくる場所情報と、入退場者の社員情報と、及び時刻とを含む情報（後述の付加情報）をリスト形式で記憶する。図５に社員所在リストの例を示しており、動作の説明で後述する。通信制御部４２は、社内ネットワーク間の通信を制御する。
【００１６】
施設予約管理装置５は、会議室ごとの予約情報を管理する。施設予約管理装置５は、施設予約リスト５１（組織所属者滞在予定情報の一例）と通信制御部５２とを備える。施設予約リスト５１は、会議室ごとの予約者社員番号、使用予定日時を記憶する。通信制御部５２は、社内ネットワーク間の通信を制御する。図７に施設予約リストの例を示しており、動作の説明で後述する。
【００１７】
ＲＦＩＤリーダ６は、社員が業務に使用するＯＡ用ＰＣ７に接続され、ＯＡ用ＰＣ７のユーザであるユーザ乙の携帯する社員カード１ａに記憶されている社員情報を読み取る。構成は施設配置リーダ２ａと同様である。
【００１８】
ＰＣ制御装置７０は、ＯＡ用ＰＣ７を制御する装置である。ＰＣ制御装置７０は、社員不在時間管理部７１（予想不在時間算出部の一例）、実行処理リスト記憶部７２（実行処理記憶部の一例）、処理時間算出部７３、処理実行部７４、電源制御部７５とを備える。
【００１９】
社員不在時間管理部７１は、ＲＦＩＤリーダ６に社員カード１ａから社員番号を含む社員情報を定期的に読み取らせる。これにより、社員情報が読み取れるかどうかでユーザ乙がＯＡ用ＰＣ７に在席するかどうかを判断する。具体的には、ＲＦＩＤリーダ６は社員不在時間管理部７１の指示により、ＲＦＩＤ１１に社員情報の送信を要求する送信要求信号を送信する。ＲＦＩＤ１１は、要求信号を受信した場合は、これに応答して、社員番号を含む社員情報をＲＦＩＤリーダ６に送信する。ＲＦＩＤリーダ６が社員情報を読み取れた場合は、ユーザ乙がＯＡ用ＰＣ７に在席していると判断する。社員情報を読みとれない場合は、社員不在時間管理部７１は、ユーザ乙がＯＡ用ＰＣ７に不在と判断する。社員不在時間管理部７１は、ユーザ乙が不在と判断した場合には、社員所在管理装置４と施設予約管理装置５と連携して、ＯＡ用ＰＣ７についてのユーザ乙の予想不在時間を算出する。
【００２０】
実行処理リスト記憶部７２は、ユーザ乙がＯＡ用ＰＣ７に不在中の間にＯＡ用ＰＣ７に自動実行させたい処理、及びその処理に要すると予想される予想処理時間を記述した実行処理リストを記憶する。予想処理時間は、次の処理時間算出部７３が算出する。図４に実行処理リストを示しており、動作の説明で後述する。
【００２１】
処理時間算出部７３は、ＯＡ用ＰＣ７のハードウェアリソース情報を用いて、実行処理リスト記憶部７２の記憶する実行処理リスト７２ａに記述された自動実行させたい処理ごとについて、予想処理時間を算出する。処理時間算出部７３の算出した予想処理時間が実行処理リストに記載される。
【００２２】
処理実行部７４は、実行処理リスト記憶部７２の記憶する実行処理リストからユーザ乙の予想不在時間内に実行可能な処理を検索し実行する。
【００２３】
電源制御部７５は、自動的にＯＡ用ＰＣ７の電源をオフにする。
【００２４】
なお、ＰＣ制御装置７０の各構成要素である社員不在時間管理部７１、実行処理リスト記憶部７２、処理時間算出部７３、処理実行部７４、電源制御部７５の各機能は、ハードウェアで実現されてもよいし、ソフトウェアで実現されてもよいし、ハードウェアとソフトウェアとにより実現されても構わない。ソフトウェアで実現する場合として、コンピュータを社員不在時間管理手段、実行処理リスト記憶手段、処理時間算出手段、処理実行手段、電源制御手段として機能させるためのコンピュータ制御プログラムにより実現しても構わない。また、ＰＣ制御装置７０は、ＯＡ用ＰＣ７の内部に組み込んでも構わない。ソフトウェアで組み込む場合は、ＯＡ用ＰＣ７の記憶装置にプログラムとして格納する。これについては、実施の形態３で後述する。
【００２５】
次に、動作について説明する。図３〜図７を用いて説明する。図３は、本実施の形態１に係るコンピュータ管理システム１００の動作を示すフローチャートである。図４は、実行処理リストの一例を示す図である。図５（ａ）及び（ｂ）は、社員所在リストの一例を示す図である。図６は、社員所在リストの更新過程の動作を示すフローチャートである。図７（ａ）及び（ｂ）は、施設予約リストの一例を示す図である。以下に、図３に示すフローチャートを参照しながら動作を説明する。
【００２６】
（１）実行処理リスト作成（図３のステップ１０１）
まず、図４に示す実行処理リスト７２ａを作成するステップについて説明する。
【００２７】
ステップ１０１において、ＯＡ用ＰＣ７のユーザ乙は、ＯＡ用ＰＣ７に不在の間にＯＡ用ＰＣ７に自動実行させたい処理を、実行処理リスト７２ａに記述する。図４では、ユーザ乙がＯＡ用ＰＣ７を不在にする場合に実行させたい処理として、ウィルスチェック、ディスクチェック、アプリケーションＡのアップデート、アプリケーションＢのアップデートを記述した場合を示している。そして、処理時間算出部７３は、ＯＡ用ＰＣ７のＣＰＵ（Ｃｅｎｔｒａｌ  Ｐｒｏｃｅｓｓｉｎｇ  Ｕｎｉｔ）能力やメモリ容量といったハードウェアリソース情報をＯＡ用ＰＣ７から取得して、実行処理リスト７２ａに記述された処理ごとの処理時間を算出し、算出した処理時間を実行処理リスト７２ａに記述する。図４では、処理時間算出部７３により、それぞれの処理の処理時間が、３０分、１時間、１０分、２０分と算出された場合を示している。
【００２８】
（２）ユーザ乙の在席確認（図３のステップ１０２〜ステップ１０３）
次に、ＯＡ用ＰＣ７のユーザ乙が、ＯＡ用ＰＣ７に在席しているかどうかを確認するステップについて説明する。
【００２９】
ステップ１０２において、社員不在時間管理部７１は、ＯＡ用ＰＣ７に接続されたＲＦＩＤリーダ６に、定期的にユーザ乙の携帯する社員カード１ａのＲＦＩＤ１１から社員情報を読み取らせる。
【００３０】
ステップ１０３において、社員不在時間管理部７１は、一定時間ユーザ乙の社員情報が読み取れない場合、ユーザ乙がＯＡ用ＰＣ７から席を外している（ＯＡ用ＰＣ７に不在である）と判断する。そして、ステップ１０４に進む。
【００３１】
（３）ユーザ乙の所在確認（図３のステップ１０４、ステップ１０５）
次に、ＯＡ用ＰＣ７のユーザ乙の所在を確認するステップについて説明する。
【００３２】
ステップ１０４において、社員不在時間管理部７１は、あらかじめ記憶しているユーザ乙の社員番号について、社員所在管理装置４の備える社員所在リスト４１にアクセスし、ユーザ乙の社員番号を検索する。図５は、社員所在リストの一例として、社員所在リスト４１ａ，社員所在リスト４１ｂを示している。図５の社員所在リストについて説明する。社員所在リストは、会議室（施設）ごとに作成されている。図５の社員所在リスト４１ａは会議室Ａについてのリストであり、社員所在リスト４１ｂは会議室Ｂのリストである。社員所在リスト４１ａには、会議室Ａに滞在している社員の社員番号、滞在している日付、及び会議室Ａへの入場時刻（滞在を開始した時刻）が記載されている。ユーザ乙の社員番号が「ｘｘｘｘｘ」であれば、社員不在時間管理部７１は、社員所在リスト４１ａ、４１ｂから「ｘｘｘｘｘ」を検索する。社員番号を検索することで社員の所在する会議室が判明する。社員所在管理装置４は、各会議室に対応して設けられているそれぞれの入退場管理装置の送信する付加情報を受信して、社員所在リストの内容を更新する。この更新については、次に説明する。
【００３３】
ステップ１０５において、ユーザの社員番号が見つかった場合は、ステップ１０６に進む。
【００３４】
ここで、図６を用いて、社員所在リスト４１の更新プロセスについて説明する。図２に示すように社員カード１ａを携帯したユーザ乙が会議室Ａに入場する場合を想定する。まず、Ｓ２０１において、ユーザ乙が施設配置リーダ２ａの設置された会議室Ａに入った場合、施設配置リーダ２ａは、ユーザ乙が入場するときに、ユーザ乙の携帯する社員カード１ａのＲＦＩＤ１１から社員番号を含む社員情報を読み取り、入退場管理装置３ａに転送する。次に、Ｓ２０２において、入退場管理装置３ａは、社員情報記憶用バッファ３１に施設配置リーダ２ａにより送信された社員情報を入力して記憶する。また、時計３３により社員情報を受信（入力）した時刻をはかり、時刻記憶用バッファ３４に記憶する。そして、入退場管理装置３ａは、社員情報記憶用バッファ３１に記憶された社員情報について、時刻記憶用バッファに記憶された社員情報の入力時刻と、場所情報記憶部３２に記憶された施設配置リーダ２ａが設置された場所情報（施設配置リーダ２ａが設置された会議室Ａ）とを付加した付加情報として、この付加情報を社員所在管理装置４に転送する。すなわち付加情報は、社員番号を含む社員情報、時刻情報、場所情報とを含む。次に、Ｓ２０３において、社員所在管理装置４は、入退場管理装置３ａから送信された付加情報に含まれる場所情報（会議室Ａ）をもとに、対応する会議室の社員所在リスト４１ａに、受信した付加情報に含まれる社員情報から社員番号と、入場時刻を記述する。ユーザ乙の社員番号が「ｘｘｘｘｘ」とすれば、社員所在管理装置４は図５の社員所在リスト４１ａに示すように、社員番号「ｘｘｘｘｘ」、日付「９月３日」、会議室Ａへの入場時刻「９：００」のように記載する。なお、社員所在リストの中に、既に社員番号が記述されている場合は、社員所在管理装置４は、その社員は施設を退出する場合であると判断し、社員所在リストからその社員の情報を削除する。このような処理により、社員所在リスト４１の社員番号の有無により、実際にその会議室に社員が滞在しているかどうかを管理することができる。
【００３５】
（４）ユーザ不在時間算出（図３のステップ１０６〜ステップ１０８）
次に、ＯＡ用ＰＣ７のユーザ乙が、会議室Ａに滞在する時間をもとにＯＡ用ＰＣを不在にする予想不在時間を算出するステップについて説明する。
【００３６】
ステップ１０６において、社員不在時間管理部７１は、施設予約管理装置５の備える施設予約リスト５１にアクセスする。
【００３７】
ステップ１０７において、ユーザ乙が滞在している会議室Ａについての施設予約リスト５１ａ（後述のように施設予約リストは会議室ごとに設定されている）を検索する。
すなわち、社員所在リスト４１の検索によりユーザ乙の所在が会議室Ａと判明したので、次に、会議室Ａについての施設予約リストを検索することで、ユーザ乙が会議室Ａにどの程度の時間滞在するのかを確認する。図７は、施設予約リストの一例を示す図である。会議室の利用（会議室への滞在）を予定する社員は、施設予約リストに予め滞在予定時間を含む予約内容を記述する。記述は、例えば、ＯＡ用ＰＣ７により、社内ネットワークを介して行うことができる。この施設予約リストを参照することで会議室への滞在予定時間を知ることができる。施設予約リストは、会議室（施設）ごとに設定されている。施設予約リスト５１ａは、「会議室Ａの名称」（施設の名称）、「会議室を予約した社員の社員番号である予約者社員番号」、「使用予定日」（滞在予定日）、「会議室使用の開始予定時刻と使用の終了予定時刻」（滞在予定時間の一例）とを記載している。施設予約リスト５１ｂも同様である。ユーザ乙が滞在している会議室Ａの施設予約リスト５１ａが見つかった場合は、ステップ１０８に進み、見つからなかった場合はステップ１２０に進む。
【００３８】
ステップ１０８において、社員不在時間管理部７１は、施設予約リスト５１ａに記述されている開始予定時刻、終了予定時刻から、現在の時刻が該当する予約情報を検索する。社員不在時間管理部７１は、図示していない日付機能付きの時計を備えている。この時計により、日付及び時刻を計測する。例えば、現在の時刻が９月３日の午前９：０５であれば、ユーザ乙の社員番号「ｘｘｘｘｘ」に対応する開始予定時刻「９：００」、終了予定時刻「９：３０」を検索する。そして、社員不在時間管理部７１は、「終了予定時刻」と「現在の時刻」との差分を求める。例えば、「現在の時刻」が「９：０５」であれば、差分は「２５分」となる。この差分を基にして、ユーザ乙がＯＡ用ＰＣ７に不在になると予想される「予想不在時間」を算出する。社員不在時間管理部７１は、差分をそのまま「予想不在時間」としてもよいし、例えば、ある係数を掛けた時間を「予想不在時間」としても構わない。ユーザ乙の行動パターンを考慮して決めてもよい。差分をもとに、どのように「予想不在時間」を算出するかは、自由に設定できるものとする。この場合は、差分「２５分」をそのまま「予想不在時間」とする。
【００３９】
（５）実行処理検索（図３のステップ１０９〜ステップ１１０）
次に、ＯＡ用ＰＣ７についての「予想不在時間」内に、ＯＡ用ＰＣ７に自動実行させる処理を検索するステップについて説明する。
【００４０】
ステップ１０９において、処理実行部７４は、ステップ１０８で算出したＯＡ用ＰＣ７にいてのユーザ乙の「予想不在時間」内に、ＯＡ用ＰＣ７に実行させることが可能な処理を実行処理リスト７２ａから検索して選択する。「予想不在時間」が「２５分」の場合、図４の実行処理リスト７２ａでは、アプリケーションＡアップデートが予想処理時間１０分であり、アプリケーションＢアップデートが予想処理時間２０分であり、実行可能な候補である。処理実行部７４は、所定の規則に基づいて、複数の候補から実行するべき処理を選択する。所定の規則としては、例えば、優先順位を付しておき、優先順位に従って選択してもよい。あるいは、実行処理リストに記載した順序に従って選択するようにしても構わない。複数の候補がある場合の選択の方法は、所定の規則として、事前に自由に決めることができる。
【００４１】
ステップ１１０において、実行可能な処理を選択した場合は、ステップ１１１に進み、見つからなかった場合は、ステップ１２０に進む。
【００４２】
（６）処理実行（図３のステップ１１１〜ステップ１１５）
次に、ＯＡ用ＰＣ７の未使用時間内（予想不在時間内）に処理を自動実行するステップについて説明する。
【００４３】
ステップ１１１において、処理実行部７４は、ステップ１１０で選択した処理を起動する。
【００４４】
ステップ１１２において、処理実行部７４は、ＯＡ用ＰＣ７に対して、定期的に実行中の処理が終了したかどうかを確認する。処理が終了した場合は、ステップ１０４に進み、終了していない場合はステップ１１３に進む。
【００４５】
終了していない場合は、ステップ１１３において、社員不在時間管理部７１は、社員所在リスト４１ａにアクセスし、ユーザ乙が滞在している会議室Ａについての社員所在リスト４１ａから、ユーザ乙の社員番号を検索する。
【００４６】
ステップ１１４において、ユーザ乙の社員番号が見つかった場合は、ユーザ乙がまだ会議室Ａに滞在していると判断し、ステップ１１２に進む。見つからなかった場合は、ユーザ乙が会議室Ａを退出し、自席（ＯＡ用ＰＣ７）に戻ってくると判断し、ステップ１１５に進む。
【００４７】
ステップ１１５において、処理実行部７４は、実行中の処理を中断する。
【００４８】
（７）電源オフ（図５のステップ１２０）
次に、ステップ１０７において、ユーザ乙が滞在する会議室Ａの施設予約リストが見つからなかった場合、またはステップ１１０において、ＯＡ用ＰＣ７についての「予想不在時間」内に実行可能な処理が見つからなかった場合に、ＯＡ用ＰＣ７の電源をオフにするステップについて説明する。ステップ１２０において、電源制御部７５は、ＯＡ用ＰＣ７のシャットダウン処理を行い、電源をオフにする。
【００４９】
以上のように、ＲＦＩＤ１１によるユーザ乙の所在情報と、施設予約リストを組み合わせることで、ＯＡ用ＰＣへの「予想不在時間」を得ることができる。この時間を用いて、ＯＡ用ＰＣ７の維持・管理に必要な処理を自動的に実行することが可能になる。
【００５０】
実施の形態１のコンピュータの管理システムは、社員所在管理装置、施設予約管理装置、ＲＦＩＤリーダ、及びＰＣ制御装置とを備えたので、ＯＡ用ＰＣのユーザがＯＡ用ＰＣに不在かどうかを確認して、不在の場合にＯＡ用ＰＣに所定の処理を実行させることができるので、ＯＡ用ＰＣを効率的に利用することができる。
【００５１】
実施の形態１のコンピュータの管理システムは、それぞれの会議室（施設）ごとに施設配置リーダと、入退場管理装置とを備えたで、それぞれの会議室における社員の所在を確実に管理することができる。
【００５２】
実施の形態１の社員所在管理装置は、会議室（施設）ごとに社員所在リストを記憶するので、社員の所在を各会議室（施設）ごとに管理することができる。
【００５３】
実施の形態１の施設予約管理装置は、会議室（施設）ごとに社員の滞在予定を記録した施設予約リストを記憶するので、社員の各会議室への滞在予定を管理することができる。
【００５４】
実施の形態１のＰＣ管理装置は、社員不在時間管理部と、処理実行部とを備えたので、ＯＡ用ＰＣへのユーザの不在時間を予想して、その予想時間の間に所定の処理をＯＡ用ＰＣに実行させるので、ユーザがＯＡ用ＰＣを不在にする時間を効率的に利用することができる。
【００５５】
実施の形態１のＰＣ管理装置は、実行処理リスト記憶部を備えたので、ＯＡ用ＰＣに実行させたい処理を予め記憶して、記憶した処理をＯＡ用ＰＣに実行させることができる。
【００５６】
実施の形態１のＰＣ管理装置は、処理時間算出部を備えたので、社員不在時間管理部の算出した予想不在時間内に実行することのできる処理を容易に選ぶことができる。
【００５７】
実施の形態１のＰＣ管理装置は、電源制御部を備えたので、電力の無駄な消費を抑制することができる。
【００５８】
実施の形態１のコンピュータの管理システムは、社員を特定する社員番号を含む社員情報を記憶し、外部からの要求信号に対して社員情報を返送するＲＦＩＤを内蔵し、社員が常に携帯する社員カードと、会議室など社内の主な施設の出入口や、社員が使用するＯＡ用ＰＣの近傍に設置され、ＲＦＩＤを内蔵した社員カードから社員番号を含む社員情報を読み取るＲＦＩＤリーダと、ＲＦＩＤリーダから送られる社員情報をもとに、施設ごとの社員の所在を管理する入退場管理装置と、施設ごとに設けられた入退場管理装置から送られる社員所在情報をまとめて社内全施設の社員の所在を管理する社員所在管理装置と、社員所在管理装置にて得られた社員の居場所への滞在予定時間を管理する施設予約管理装置と、社員所在管理装置と施設予約管理装置とによって得られた社員の所在と施設への滞在予定時間をもとに、社員が使用するＯＡ用ＰＣを制御するＰＣ制御装置とを備えたことを特徴とする。
【００５９】
実施の形態１の入退場管理装置は、施設配置リーダが設置された場所を意味する場所情報を記憶するための場所情報記憶部と、施設への社員の入退場時刻を得るための時計を備えたことを特徴とする。
【００６０】
実施の形態１の社員所在管理装置は、施設ごとに入場した社員の社員番号、入場日時を記憶する社員所在リストを備えたことを特徴とする。
【００６１】
実施の形態１の施設予約管理装置は、会議室などの社内の共有施設ごとに、予約した社員の社員番号、使用予定日時を記憶する施設予約リストとを備えることを特徴とする。
【００６２】
実施の形態１のＰＣ制御装置は、ＯＡ用ＰＣに接続されたＲＦＩＤリーダに、定期的に社員カードから社員情報を読み取らせることで社員のＯＡ用ＰＣへの在席状況を確認し、不在を検知した場合に、社員所在管理装置と施設予約管理装置と連携して、社員のＯＡ用ＰＣへの予想不在時間を算出する社員不在時間管理部と、社員のＯＡ用ＰＣへの不在時においてＯＡ用ＰＣに自動実行させたい処理と実行処理に予想される処理時間とを記述した実行処理リストと、実行処理リストから社員不在時間管理部の得た社員の予想不在時間内に実行可能な処理を検索し、検索した処理を自動的に実行する処理実行部と、実行すべき処理がない場合に自動的にＯＡ用ＰＣの電源をオフにする電源制御部とを備えたことを特徴とする。
【００６３】
実施の形態１のＰＣ制御装置は、ＯＡ用ＰＣのハードウェアリソース情報をもとに、実行処理リストに記述された処理ごとの予想処理時間を算出する処理時間算出部を備えたことを特徴とする。
【００６４】
実施の形態２．
次に、図８〜図１０を用いて実施の形態２を説明する。前述の実施の形態１では、施設予約リスト５１を用いて社員の「予想不在時間」を算出したが、実施の形態２は、社員スケジュールリスト８１（組織所属者滞在予定情報の一例）を用いて、社員の「予想不在時間」を求める実施形態である。
【００６５】
図８は、実施の形態２に係るコンピュータ管理システム２００の構成を示す図である。図８は、図２に対して、施設予約管理装置５が社員スケジュール管理装置８（滞在予定情報記憶装置の一例）に置き換わっている点のみが異なる。その他の構成は図２と同じである。すなわち、実施の形態１の図２では、施設予約リスト５１を用いて「予想不在時間」を算出した。これに対して、実施の形態２では、施設予約リスト５１に代えて、社員スケジュールリスト８１を用いて「予想不在時間」を算出する。
【００６６】
社員スケジュール管理装置８は、各社員のスケジュール情報を管理する装置である。社員スケジュール管理装置８は、社員ごとにスケジュール情報（場所、時刻）を記憶する社員スケジュールリスト８１、ＯＡ用ＰＣ７との通信を制御する通信制御部８２とを備える。社員スケジュールリスト８１については、動作の説明で後述する。
【００６７】
次に動作について説明する。図９は、コンピュータ管理システム２００の動作を示すフローチャートである。図１０（ａ）及び（ｂ）は、社員スケジュールリストの一例を示す図である。図９のフローチャートを参照しながら動作を説明する。
【００６８】
なお、実施の形態２では、実施形態１で述べた（４）ユーザ不在時間算出と、（７）電源オフのステップ、のみが異なる。このため、これらのステップについて説明し、他のステップの説明は省略する。
【００６９】
（１）実行処理リスト作成（図９のステップ２０１）
本ステップは、実施形態１．（図３のステップ１０１）と同様の内容なので省略する。
【００７０】
（２）ユーザ在席確認（図９のステップ２０２〜ステップ２０３）
本ステップは、実施の形態１（図３のステップ１０２〜ステップ１０３）と同様の内容なので省略する。
【００７１】
（３）ユーザ所在確認（図９のステップ２０４〜ステップ２０５）
本ステップは、実施の形態１（図３のステップ１０４〜ステップ１０５）と同様の内容なので省略する。
【００７２】
（４）ユーザ不在時間算出（図９のステップ２０６〜ステップ２０８）
次に、ＯＡ用ＰＣ７のユーザ乙が入場した会議室Ａに滞在する時間を算出するステップについて説明する。
【００７３】
ステップ２０６において、社員不在時間管理部７１は、図１０に示す社員スケジュールリスト８ａから、ユーザ乙の当日のスケジュールリストを読み込み、場所欄からユーザ乙の滞在している会議室Ａ（施設）を検索する。図１０は、一例として、社員スケジュールリスト８１ａ，８１ｂを示す図である。社員スケジュールリストは、社員番号及び日付ごとに設定されている。社員スケジュールリストには、社員ごとの予定の内容、移動場所（滞在を予定する施設）、滞在を予定する日時が記載されている。具体的には、社員所在リスト４１ａ，４１ｂ等と同様に、「会議室Ａの名称」（施設の名称）、「社員番号」、「使用予定日」（滞在予定日）、「会議室使用の開始予定時刻と使用の終了予定時刻」（滞在予定時間の一例）等が記載されている。
【００７４】
ステップ２０７において、該当する会議室が見つかった場合は、ステップ２０８に進み、見つからなかった場合は、ステップ２２０に進む。
【００７５】
ステップ２０８において、施設予約リストの場合と同様に、社員不在時間管理部７１は、社員スケジュールリスト８１ａに記述されている開始予定時刻、終了予定時刻から、現在の時刻が該当するスケジュール情報を検索し、「終了予定時刻」と「現在の時刻」の差分を算出し、算出した差分に基づいてＯＡ用ＰＣを不在にする予想不在時間を算出する。
【００７６】
（５）実行処理検索（図９のステップ２０９〜ステップ２１０）
本ステップは、実施の形態１（図３のステップ１０９〜ステップ１１０）と同様の内容なので省略する。
【００７７】
（６）処理実行（図９のステップ２１１〜ステップ２１５）
本ステップは、実施の形態１の（図３の「ステップ１１１〜ステップ１１５）と同様の内容なので省略する。
【００７８】
（７）電源オフ（図９のステップ２２０）
次に、ステップ２０７においてユーザが滞在する施設での予定がスケジュールリストに見つからなかった場合、または、ステップ２１０においてＯＡ用ＰＣ７の未使用時間内（予想不在時間内）に実行可能な処理が見つからなかった場合には、ステップ２２０に進む。ステップ２２０において、電源制御部７５は、ＯＡ用ＰＣ７のシャットダウン処理を行い、電源をオフする。
【００７９】
以上のように、ＲＦＩＤによるユーザの所在情報と、社員スケジュールリストから得られるユーザの滞在予定時間を組み合わせることで、ＯＡ用ＰＣへの予想不在時間を得ることができ、この時間を用いて、ＯＡ用ＰＣの維持・管理に必要な処理を自動的に実行することが可能になる。
【００８０】
実施の形態２の社員スケジュール管理装置は、社員ごとに社員の会議室（施設）への滞在予定を記録した社員スケジュールリストを記憶するので、社員の会議室への滞在予定を木目細かく管理することができる。
【００８１】
実施の形態２のコンピュータ管理システムは、社員を特定する社員番号を含む社員情報を記憶し、外部からの要求信号に対して社員情報を返送するＲＦＩＤを内蔵し、社員が常に携帯する社員カードと、会議室など社内の主な施設の出入口や、社員が使用するＯＡ用ＰＣの近傍に設置され、ＲＦＩＤを内蔵した社員カードから社員番号を含む社員情報を読み取るＲＦＩＤリーダと、ＲＦＩＤリーダから送られる社員情報をもとに、施設ごとの社員の所在を管理する入退場管理装置と、施設ごとの入退場管理装置から送られる社員所在情報をまとめて社内全施設の社員の所在を管理する社員所在管理装置と、社員所在管理装置にて得られた社員の施設への滞在予定時間を管理する社員スケジュール管理装置と、社員所在管理装置と、社員スケジュール管理装置によって得られた社員の所在と滞在予定時間をもとに、社員が使用するＯＡ用ＰＣを制御するＰＣ制御装置とを備えたことを特徴とする。
【００８２】
実施の形態２の社員スケジュール管理装置は、社員ごとの予定の内容、移動場所、日時を記憶する社員スケジュールリストを備えたことを特徴とする。
【００８３】
実施の形態３．
図１１、図１２を用いて実施の形態３を説明する。実施の形態３は、前記の実施の形態１のＰＣ制御装置７０をソフトウェア（プログラム）で実施する場合を具体的に示している。図１１は、実施の形態３に係るコンピュータ管理システム３００を示す図である。このコンピュータ管理システム３００は、ＰＣ制御装置７０の機能が、ソフトウェアで実行されるとともに、このソフトウェアが、管理の対象であるＯＡ用ＰＣ７の記憶装置に格納されていることを特徴とする。
【００８４】
前記の実施の形態１におけるＰＣ制御装置７０の各構成要素である社員不在時間管理部７１、実行処理リスト記憶部７２、処理時間算出部７３、処理実行部７４、電源制御部７５のこれらの機能は、コンピュータに実行させるプログラムとして把握することが可能である。すなわち、コンピュータを（１）社員不在時間管理手段、（２）実行処理リスト記憶手段、（３）処理時間算出手段、（４）処理実行手段、（５）電源制御手段として機能させるためのコンピュータ制御プログラムとする実施形態が可能である。なお、（１）社員不在時間管理手段は、実施の形態１で示したように、施設予約リスト５１の「終了予定時刻」と、「現在の時刻」とから差分を算出する。この場合、コンピュータ制御プログラムを格納するコンピュータが日付機能つきの時計を内蔵しており、この時計で日付、及び「現在の時刻」を計測する。また、このコンピュータ制御プログラムは、図１１に示すように、管理対象となるＯＡ用ＰＣ７の記憶装置に格納することができる。
【００８５】
図１２は、実施の形態１のＰＣ制御装置７０の機能を実行する「コンピュータ制御プログラム」を格納したＯＡ用ＰＣ７の構成を示す図である。
【００８６】
ＣＰＵ９０には、バス９５を介して、磁気記憶装置９６、モニタ９１、キーボード９２、マウス９３、通信ポート９４等が接続されている。また、磁気記憶装置９６には、オペレーティングシステムであるＯＳ９７、プログラム群９８、ファイル群９９が記憶されている。プログラム群９８は、ＣＰＵ９０、ＯＳ９７により実行される。通信ポート９４は社内ネットワークと接続している。
【００８７】
図２のＰＣ制御装置７０と、図１２のＯＡ用ＰＣ７との対応関係を説明する。
【００８８】
社員不在時間管理部７１の機能は、コンピュータ制御プログラムを実行することにより実現される。コンピュータ制御プログラムは、磁気記憶装置９６のプログラム群９８に記憶されている。
【００８９】
実行処理リスト記憶部７２の機能は、コンピュータ制御プログラムを実行することにより実現される。コンピュータ制御プログラムは、磁気記憶装置９６のプログラム群９８に記憶されている。また、実行処理リスト７２ａは、磁気記憶装置９６のファイル群９９に記憶される。また、実行させたい処理を実行処理リスト７２ａに記載する場合は、キーボード９２、あるいはマウス９３等の入力装置により行う。
【００９０】
同様に、処理時間算出部７３、処理実行部７４、及び電源制御部７５の機能もコンピュータ制御プログラムを実行することにより実現される。コンピュータ制御プログラムは、磁気記憶装置９６のプログラム群９８に記憶されている。
【００９１】
プログラムの実施の形態における各手段はプログラムで実行されるが、このプログラムは、前述のように磁気記憶装置９６に記録されている。そして、磁気記憶装置９６からＣＰＵ９０に読み込まれ、ＣＰＵ９０によって、コンピュータ制御プログラムの各処理が実行される。
【００９２】
実施の形態３に係るコンピュータ制御プログラムは、専用装置を必要とすることなく、汎用のコンピュータを用いて対象のコンピュータを制御することができる。また、制御の対象となるＯＡ用ＰＣにコンピュータ制御プログラムを格納することで、容易にＯＡ用ＰＣを制御することができる。
【図面の簡単な説明】
【００９３】
【図１】実施の形態１に係るコンピュータ管理システムの構成概要を示す図である。
【図２】実施の形態１に係る、社内ネットワークにおけるコンピュータ管理システムを示す図である。
【図３】実施の形態１に係るコンピュータ管理システムの動作を示すフローチャートである。
【図４】実行処理リストの一例を示す図である。
【図５】（ａ）及び（ｂ）は、社員所在リストの一例を示す図である。
【図６】社員所在リストの更新過程の動作を示すフローチャートである。
【図７】（ａ）及び（ｂ）は、施設予約リストの一例を示す図である。
【図８】実施の形態２に係る、社内ネットワークにおけるコンピュータ管理システムを示す図である。
【図９】実施の形態２に係るコンピュータ管理システムの動作を示すフローチャートである。
【図１０】（ａ）及び（ｂ）は、社員スケジュールリストの一例を示す図である。
【図１１】実施の形態３に係る、社内ネットワークにおけるコンピュータ管理システムを示す図である。
【図１２】ＯＡ用コンピュータの構成図である。
【符号の説明】
【００９４】
１，１ａ，１ｂ，１ｎ  社員カード、１１  ＲＦＩＤ、２，２ａ，２ｂ，２ｎ  施設配置リーダ、２１  ＩＤ読取部、２２  通信制御部、３，３ａ，３ｂ，３ｎ  入退場管理装置、３１  社員情報記憶用バッファ、３２  場所情報記憶部、３３  時計、３４  時刻記憶用バッファ、３５  通信制御部、４  社員所在管理装置、４１，４１ａ，４１ｂ  社員所在リスト、４２  通信制御部、５  施設予約管理装置、５１，５１ａ，５１ｂ  施設予約リスト、５２  通信制御部、６  ＲＦＩＤリーダ、６１  ＩＤ読取部、６２  通信制御部、７  ＯＡ用ＰＣ、７０  ＰＣ制御装置、７１  社員不在時間管理部、７２  実行処理リスト記憶部、７３  処理時間算出部、７４  処理実行部、７５  電源制御部、８  社員スケジュール管理装置、８１，８１ａ，８１ｂ  社員スケジュールリスト、８２  通信制御部、９０  ＣＰＵ、９１  モニタ、９２  キーボード、９３  マウス、９４  通信ポート、９５  バス、９６  磁気記憶装置、９７  ＯＳ、９８  プログラム群、９９  ファイル群、１００，２００，３００  コンピュータ管理システム。
【図１】
2005293443.tif 000003
【図２】
2005293443.tif 000004
【図３】
2005293443.tif 000005
【図４】
2005293443.tif 000006
【図５】
2005293443.tif 000007
【図６】
2005293443.tif 000008
【図７】
2005293443.tif 000009
【図８】
2005293443.tif 000010
【図９】
2005293443.tif 000011
【図１０】
2005293443.tif 000012
【図１１】
2005293443.tif 000013
【図１２】
2005293443.tif 000014